(57)【特許請求の範囲】
【請求項１】
ＳＩＭカードに保存された識別番号に示されたデータを受信できる通信装置であって、
ページング周期パラメータと無線ネットワークからの前記ＳＩＭカードのページングインジケータパラメータを受信し、第１起動信号に基づいて、前記無線ネットワークからの複数のページングインジケータを含むノードＢ信号を受信する無線送受信モジュール、
前記無線送受信モジュールからのページングインジケータを含むベースバンドのノードＢの信号を受信し、第２起動信号に基づいて、前記受信したベースバンドのノードＢの信号を処理するベースバンド処理モジュール、及び
前記無線送受信モジュール、前記ＳＩＭカードと、前記ベースバンド処理モジュールに接続され、前記ページング周期パラメータに基づいて複数の周期的無線フレームの複数の対応するシステムフレーム番号を得て、前記ページングインジケータパラメータ、前記識別番号と、各周期的無線フレームの前記対応するシステムフレーム番号に基づいて、各周期的無線フレームの前記ＳＩＭカードの対応するページングインジケータの位置を得て、前記対応するページングインジケータの位置に基づいて、各周期的無線フレーム内に分配された、前記第１ウェイクアップ間隔の長さと前記第２ウェイクアップ間隔の長さが周期的無線フレームの長さより小さい、第１ウェイクアップ間隔と第２ウェイクアップ間隔を得て、前記第１ウェイクアップ間隔中に前記第１起動信号を生成して、前記無線送受信モジュールをアクティブにし、前記第２ウェイクアップ間隔中に前記第２起動信号を生成して、前記ベースバンド処理モジュールをアクティブにする制御器を含み、
前記制御器は、前記対応するページングインジケータの位置と前記周期的無線フレームの既定の基準位置との比較に基づく、前記第１起動信号と前記第２起動信号とを生成すること、を特徴とする通信装置。
【請求項２】
１つの周期的無線フレームの前記第１ウェイクアップ間隔の長さと前記第２ウェイクアップ間隔の長さは、前記対応するページングインジケータの位置が前記周期的無線フレームの前記既定の基準位置の後に分配された時、同じである請求項１に記載の通信装置。
【請求項３】
前記ベースバンド処理モジュールは、前記受信したベースバンドのノードＢの信号に基づいてチャネル推定結果を得て、前記チャネル推定結果に基づいて対応するページングインジケータの位置で前記受信したページングインジケータを処理し、ページングインジケーションの結果を得て、前記ページングインジケーションの結果に基づいて、第３起動信号を生成し、前記無線送受信モジュールをアクティブにして次のページングメッセージを受信して前記制御器に知らせるかどうかを決める請求項２に記載の通信装置。
【請求項４】
前記制御器は、前記対応するページングインジケータの位置が前記周期的無線フレームの前記既定の基準位置の後に分配されない時、１つの周期的無線フレームの前記対応するページングインジケータの位置の始めに前記第１起動信号と前記第２起動信号を生成する請求項１に記載の通信装置。
【請求項５】
前記無線送受信モジュールは、前記第１起動信号に基づいて、前記ページングインジケータを前記ベースバンド処理モジュールに含む前記ノードＢ信号をダウンコンバートした後、非アクティブにされ、前記ベースバンド処理モジュールは、前記ページングインジケータを含む前記受信したベースバンドのノードＢの信号をメモリ素子に更に保存し、前記保存したベースバンドのノードＢの信号に基づいてチャネル推定結果を得て、前記チャネル推定結果に基づいて対応するページングインジケータの位置で前記受信したページングインジケータを処理し、ページングインジケーションの結果を得て、前記ページングインジケーションの結果に基づいて、第３起動信号を生成し、前記無線送受信モジュールをアクティブにして次のページングメッセージを受信して前記制御器に知らせるかどうかを決める請求項４に記載の通信装置。
【請求項６】
各周期的無線フレームの前記対応するページングインジケータの位置は、前記無線ネットワークから送信された専用ページングインジケータの位置を示し、前記ＳＩＭカードが可能な送信が来ることを知らせる請求項１に記載の通信装置。
【請求項７】
通信システムの通信装置の受信処理をスケジューリングする方法であって、前記通信装置は、ＳＩＭカードによって無線ネットワークと通信する無線送受信モジュール、ベースバンド処理モジュールと、前記無線送受信モジュールに接続された制御器、前記ＳＩＭカードと、その間の動作を制御する前記ベースバンド処理モジュールを含み、
ページング周期パラメータと前記無線送受信モジュールによって前記無線ネットワークからのページングインジケータパラメータを受信するステップ、
前記無線送受信モジュールを非アクティブにするステップ、
前記ページング周期パラメータに基づいて、複数の周期的無線フレームの複数の対応するシステムフレーム番号を得て、前記無線ネットワークが各周期的無線フレームのページングインジケータメッセージの複数の前記ページングインジケータを送信するステップ、
前記ページングインジケータパラメータ、前記ＳＩＭカードの識別番号と、各周期的無線フレームの前記対応するシステムフレーム番号に基づいて、各周期的無線フレーム内に分配された、第１ウェイクアップ間隔の長さが周期的無線フレームの長さより小さい第１ウェイクアップ間隔を同時に得るステップ、
前記第１ウェイクアップ間隔中に前記ページングインジケータの一部を受信し、前記無線送受信モジュールをアクティブにするステップ、
前記第１ウェイクアップ間隔に基づいて、各周期的無線フレーム内に分配された前記第１ウェイクアップ間隔の長さが前記第２ウェイクアップ間隔の長さより小さく、前記第２ウェイクアップ間隔の長さが周期的無線フレームの長さより小さい第２ウェイクアップ間隔を同時に得るステップ、及び
前記第２ウェイクアップ間隔中に前記ベースバンド処理モジュールをアクティブにして前記無線送受信モジュールからのページングインジケータを含むベースバンドのノードＢの信号を受信し、前記受信したページングインジケータを含むベースバンドのノードＢの信号をメモリ素子に保存し、前記保存したページングインジケータを処理するステップを含む方法。
【請求項８】
前記ページングインジケータパラメータ、前記識別番号と、各周期無線フレームの前記対応するシステムフレーム番号に基づいて各周期的無線フレームの前記ＳＩＭカードの対応するページングインジケータを得るステップを更に含み、
各周期的無線フレームの前記対応するページングインジケータの位置は、前記無線ネットワークから送信された専用ページングインジケータの位置を示し、前記ＳＩＭカードが可能な送信が来ることを知らせ、前記第１ウェイクアップ間隔は、前記対応するページングインジケータの位置から始まる請求項７に記載の方法。
【請求項９】
前記無線送受信モジュールが非アクティブにされた後、前記ページングインジケータを含む保存したベースバンドのノードＢの信号に基づいてチャネル推定結果を得るステップ、
前記チャネル推定結果に基づいて前記ページングインジケータを含む保存したベースバンドのノードＢの信号を処理し、前記ＳＩＭカードのページングインジケーションの結果を得るステップ、及び
前記ページングインジケーションの結果に基づいて、前記無線送受信モジュールをアクティブにして次のページングメッセージを受信するかどうかを決めるステップを更に含む請求項７に記載の方法。
【請求項１０】
通信システムの通信装置の受信処理をスケジューリングする方法であって、前記通信装置は、ＳＩＭカードによって無線ネットワークと通信する無線送受信モジュール、ベースバンド処理モジュールと、前記無線送受信モジュールに接続された制御器、前記ＳＩＭカードと、その間の動作を制御する前記ベースバンド処理モジュールを含み、
ページング周期パラメータと前記無線送受信モジュールによって前記無線ネットワークからのページングインジケータパラメータを受信するステップ、
前記無線送受信モジュールを非アクティブにするステップ、
前記ページング周期パラメータに基づいて、複数の周期的無線フレームの複数の対応するシステムフレーム番号を得て、前記無線ネットワークが各周期的無線フレームのページングインジケータメッセージの複数の前記ページングインジケータを送信するステップ、
前記ページングインジケータパラメータ、前記ＳＩＭカードの識別番号と、各周期的無線フレームの前記対応するシステムフレーム番号に基づいて、各周期的無線フレームの対応するページングインジケータの位置を同時に得るステップ、
前記対応するページングインジケータの位置に基づいて、前記周期的無線フレーム内に分配された第１ウェイクアップ間隔を得るステップ、及び
前記対応するページングインジケータの位置が前記周期的無線フレームの既定の基準位置の後に分配された時、前記第１ウェイクアップ間隔の長さが前記周期的無線フレームの長さより小さい前記第１ウェイクアップ間隔中に前記無線送受信モジュールをアクティブにして前記ページングインジケータを処理するステップを含む方法。
【請求項１１】
前記ページングインジケータを含むベースバンドのノードＢの信号に基づいて、チャネル推定結果を得るステップ、
前記チャネル推定結果に基づいて対応するページングインジケータの位置で前記受信したページングインジケータの１つを処理し、ページングインジケータの結果を得るステップ、及び
前記ページングインジケーションの結果に基づいて、前記無線送受信モジュールをアクティブにし次のページングメッセージを受信するかどうかを決めるステップを更に含む請求項１０に記載の方法。
【請求項１２】
各周期的無線フレームの前記対応するページングインジケータの位置は、前記無線ネットワークから送信された専用ページングインジケータの位置を示し、前記ＳＩＭカードが可能な送信が来ることを知らせる請求項８または１０に記載の方法。
【請求項１３】
前記対応するページングインジケータの位置が前記周期的無線フレームの既定の基準位置の後に分配された時、前記第１ウェイクアップ間隔に基づいて、前記周期的無線フレーム内に分配された第２ウェイクアップ間隔を同時に得るステップ、
前記対応するページングインジケータの位置の始めから前記無線送受信モジュールをアクティブにし、前記第１ウェイクアップ間隔が前記ページングインジケータの一部を受信するステップ、及び
前記対応するページングインジケータの位置の始めから前記無線送受信モジュールをアクティブにし、前記第１ウェイクアップ間隔の長さが前記第２ウェイクアップ間隔の長さより小さく、前記第２ウェイクアップ間隔の長さが周期的無線フレームの長さより小さい、前記第２ウェイクアップ間隔が前記無線送受信モジュールからの前記ページングインジケータを受信して、前記ページングインジケータをメモリ素子に保存し、前記保存されたページングインジケータを処理するステップを更に含む請求項１０に記載の方法。
【請求項１４】
前記無線送受信モジュールが非アクティブにされた後、前記保存されたページングインジケータに基づいて、チャネル推定結果を得るステップ、
前記チャネル推定結果に基づいて対応するページングインジケータの位置で前記保存されたページングインジケータの１つを処理し、通信装置のページングインジケーションの結果を得るステップ、及び
前記ページングインジケーションの結果に基づいて、前記無線送受信モジュールをアクティブにし次のページングメッセージを受信するかどうかを決めるステップを更に含む請求項１３に記載の方法。
【発明の詳細な説明】
【技術分野】
【０００１】
本発明は、通信装置の受信処理のスケジューリング方法に関し、特に、消費電力が減少された受信処理のスケジューリング方法に関するものである。
【背景技術】
【０００２】
国際電気通信連合（ＩＴＵ）は、１８６５年に設立された国際機関であり、主な業務は標準化、無線周波数帯割当て、国際電話を行うための各国間の接続を調整することなどである。第３世代携帯電話−２０００、ＩＭＴ−２０００は、国際電気通信連合(ＩＴＵ)の定める「ＩＭＴ−２０００」規格に準拠した第３世代（３Ｇ）無線通信である。３Ｇ技術は、より改善されたスペクタル効果によって大容量ネットワークを達成する一方で、通信事業者がより広範囲の先進サービスをユーザーに提供できる。サービスは、広域無線音声電話技術、テレビ電話、広帯域無線データの伝送を含み、全てモバイル環境におけるサービスである。付加的な特徴は、１４.４Ｍｂｉｔ／ｓのダウンリンクと５.８Ｍｂｉｔ／ｓのアップリンクまでの速度を実現できる高速パケットアクセスのデータ伝送機能も含む。
【０００３】
ＩＭＴ−２０００は、広帯域符号分割多元接続（Ｗ−ＣＤＭＡ）としても知られるＩＭＴ直接拡散（ＩＭＴ−ＤＳ）、ＣＤＭＡ２０００としても知られるＩＭＴマルチキャリア（ＩＭＴ−ＭＣ）、例えば時分割符号分割多元接続（ＴＤ−ＣＤＭＡ）と時分割同期符号分割多元接続（ＴＤ−ＳＣＤＭＡ）などのＩＭＴ時分割（ＩＭＴ−ＴＤ）、エッジ（Enhanced Data Rates for GSM Evolution, ＥＤＧＥ）としても知られるＩＭＴ単一キャリア（ＩＭＴ−ＳＣ）、デジタルコードレス電話（ＤＥＣＴ）としても知られるＩＭＴ−Ｆｒｅｑｕｅｎｃｙ Ｔｉｍｅ（ＩＭＴ−ＦＴ）と、ワイマックス（ＷｉＭＡＸ）規格を有する特定変化のＩＥＥＥ８０２.１６である、近年認められたＩＰ−ＯＦＤＭＡ  ＴＤＤ  ＷＡＮの６つの無線インターフェースで構成されている。
【０００４】
例えば、ユニバーサルモバイルテレコミュニケーションシステム（ＵＭＴＳ）は、第３世代（３Ｇ）移動通信システムであり、改善されたマルチメディアサービスの範囲を提供する。移動通信システムは、エアインターフェースに関連した機能を実行する無線アクセスネットワーク（ＲＡＮ）と、スイッチング機能を行って、例えばインターネットまたは公衆交換電話網などの外部ネットワークをインターフェースで接続するコアネットワーク（ＣＮ）の２つのセグメントに分割されることができる。第３世代移動通信システムは、無線アクセスネットワークＲＡＮとコアネットワークＣＮの両方の改善を提供する。現在、ＵＭＴＳの最も一般的な形式は、広帯域符号分割多元接続（Ｗ−ＣＤＭＡ）をベースのエアインターフェースとして用いており、第３世代移動体通信規格化プロジェクト（３ＧＰＰ）によって規格化されている。ＣＤＭＡ２０００は、ＣＤＭＡ、デジタル無線の多元接続方式を用いた移動体通信規格化のハイブリッド２.５／３Ｇ技術であり、携帯電話とセルサイト間の音声、データと、信号データ（例えばダイヤルされた電話番号）を伝送する。
【発明の概要】
【発明が解決しようとする課題】
【０００５】
通信装置と通信システムの通信装置内の受信処理をスケジューリングする方法を提供する。
【課題を解決するための手段】
【０００６】
通信装置と通信装置の受信処理をスケジューリングする方法が提供される。通信装置の実施例は、ＳＩＭカード、無線送受信モジュール、ベースバンド処理モジュール、制御器を含む。無線送受信モジュールは、ページング周期パラメータと無線ネットワークからのＳＩＭカードのページングインジケータパラメータを受信し、第１起動信号に基づいて、無線ネットワークからのページングインジケータを含むノードＢ信号を受信する。ベースバンド処理モジュールは、無線送受信モジュールからのページングインジケータを含むダウンコンバートされたベースバンドのノードＢの信号を受信し、第２起動信号に基づいて、受信したページングインジケータを処理する。制御器は、無線送受信モジュール、ＳＩＭカードと、ベースバンド処理モジュールに接続され、ページング周期パラメータに基づいて周期的無線フレームの対応するシステムフレーム番号を得て、ページングインジケータパラメータ、ＳＩＭカードの識別番号と、システムフレーム番号に基づいて各周期的無線フレームのＳＩＭカードの対応するページングインジケータの位置を得て、対応するページングインジケータの位置に基づいて、各周期的無線フレーム内に分配された第１ウェイクアップ間隔と第２ウェイクアップ間隔を得て、第１ウェイクアップ間隔中に第１起動信号を生成して、無線送受信モジュールをアクティブにし、第２ウェイクアップ間隔中に第２起動信号を生成して、ベースバンド処理モジュールをアクティブにする。第１ウェイクアップ間隔の長さと第２ウェイクアップ間隔の長さは、各周期的無線フレームの長さより小さい。
【０００７】
通信システムの通信装置の受信処理をスケジューリングする方法が提供される。通信装置は、無線送受信モジュール、無線送受信モジュールによって無線ネットワークと通信するＳＩＭカード、ベースバンド処理モジュールと、無線送受信モジュール、ＳＩＭカードと、その間の動作を制御するベースバンド処理モジュールに接続された制御器を含む。前記方法は、ページング周期パラメータと無線送受信モジュールによって無線ネットワークからのページングインジケータパラメータを受信するステップ、無線送受信モジュールを非アクティブにするステップ、ページング周期パラメータに基づいて、複数の周期的無線フレームの複数の対応するシステムフレーム番号を得て、無線ネットワークが各周期的無線フレームのページングインジケータメッセージの複数のページングインジケータを送信するステップ、ページングインジケータパラメータ、ＳＩＭカードの識別番号と、各周期的無線フレームの対応するシステムフレーム番号に基づいて、各周期的無線フレーム内に分配された、その長さが周期的無線フレームの長さより小さい第１ウェイクアップ間隔を同時に得るステップと、第１ウェイクアップ間隔中にページングインジケータの一部を受信し、無線送受信モジュールをアクティブにするステップを含む。
【０００８】
通信システムの通信装置の受信処理をスケジューリングする方法が提供される。通信装置は、無線送受信モジュール、無線送受信モジュールによって無線ネットワークと通信するＳＩＭカード、ベースバンド処理モジュールと、無線送受信モジュール、ＳＩＭカードと、その間の動作を制御するベースバンド処理モジュールに接続された制御器を含む。前記方法は、ページング周期パラメータと無線送受信モジュールによって無線ネットワークからのページングインジケータパラメータを受信するステップ、無線送受信モジュールを非アクティブにするステップ、ページング周期パラメータに基づいて、複数の周期的無線フレームの複数の対応するシステムフレーム番号を得るステップを含み、無線ネットワークが各周期的無線フレームのページングインジケータメッセージの複数のページングインジケータを送信し、ページングインジケータパラメータ、ＳＩＭカードの識別番号と、通信装置のシステムフレーム番号に基づいて、各周期的無線フレーム内に分配された第１ウェイクアップ間隔を同時に得て、対応するページングインジケータの位置に基づいて周期的無線フレーム内に分配された第１ウェイクアップ間隔を得て、無線送受信モジュールをアクティブにしてページングインジケータの一部を受信し、対応するページングインジケータの位置が周期的無線フレームの既定の基準位置の後に分配された時、第１ウェークアップ間隔中に、ベースバンド処理モジュールをアクティブにして受信したページングインジケータを処理する。第１ウェイクアップ間隔の長さは、周期的無線フレームの長さより小さい。
【発明の効果】
【０００９】
本発明の通信装置と通信システムの通信装置内の受信処理をスケジューリングする方法によれば、無線フレームの期間より短いウェイクアップ期間中に、ベースバンド処理モジュールと無線送受信モジュールをアクティブにするように、制御器が予めＳＩＭカードの対応するページングインジケータの位置を得て、消費電力を更に減少することができる。
【図面の簡単な説明】
【００１０】
【図１】本発明の実施例に基づいた減少された消費電力の受信処理をスケジューリングできる通信装置を示している。
【図２】本発明の実施例に基づいた模範的なネットワークトポロジーを示している。
【図３】模範的なＰＩＣＨバーストを示している。
【図４】時間軸に沿ったページングオケージョン（ｐａｇｉｎｇ ｏｃｃａｓｉｏｎｓ）の模範的な実施例を表している。
【図５】本発明の実施例に基づいた通信装置の受信処理のスケジューリング方法の流れ図を示している。
【図６】本発明の実施例に基づいたページングオケージョンの各周期の無線フレーム内の対応するページングインジケータの位置に対応する、模範的なウェイクアップ間隔を示している。
【図７】本発明のもう１つの実施例に基づいた通信装置の受信処理のスケジューリング方法の流れ図を示している。
【図８】本発明の実施例に基づいたページングオケージョンの各周期の無線フレーム内の対応するページングインジケータの位置に対応する、模範的な起動信号とウェイクアップ間隔を示している。
【図９】本発明のもう１つの実施例に基づいた通信装置の受信処理のスケジューリング方法の流れ図を示している。
【図１０】模範的なＰＩＣＨバーストとＰＣＨバーストを示している。
【発明を実施するための形態】
【００１１】
本発明についての目的、特徴、長所が一層明確に理解されるよう、以下に実施形態を例示し、図面を参照にしながら、詳細に説明する。
【実施例】
【００１２】
図１は、本発明の実施例に基づいた減少された消費電力の受信処理をスケジューリングできる通信装置を示している。図１に示されるように、通信装置１００は、ＳＩＭカード１０１、制御器１０２、ベースバンド処理モジュール１０３と、無線送受信モジュール１０４を含み、制御器１０２は、無線送受信モジュール１０４、ＳＩＭカード１０１と、ベースバンド処理モジュール１０３に接続され、その動作を制御する。図２は、本発明の実施例に基づいた模範的なネットワークトポロジーを示している。通信装置１００は、無線ネットワークに属するセルによって無線ネットワークと通信し、無線送受信モジュール１０４を介してセルにキャンプオン（ｃａｍｐｓ ｏｎ）することができる。セルは、図２に示されるように、ノードＢ（またはグローバルシステムフォーモバイルコミュニケーションズ（ＧＳＭ）のベースステーションとしても知られている）２０１によってカバーされることもできる。無線送受信モジュール１０４は、無線ネットワークのセルから高周波無線信号を受信し、受信した信号をベースバンド処理モジュール１０３によって処理されるベースバンド信号に変換するか、またはベースバンド処理モジュール１０３からのベースバンド信号を受信して、ベースバンド信号をピア装置に伝送される高周波無線信号に変換する。無線送受信モジュール１０４は、高周波の変換を行う複数のハードウェア装置を含むことができる。例えば、無線送受信モジュール１０４は、無線通信システムの無線周波数で振幅された搬送波を有するベースバンド信号を増幅するミキサを含むことができる。無線周波数は、例えば広帯域符号分割多元接続（Ｗ−ＣＤＭＡ）の１９００ＭＨｚであることができる。無線送受信モジュール１０４が高周波無線信号を受信した時、ミキサは、受信信号をベースバンド信号に戻し、ベースバンド処理モジュール１０３は、ベースバンド信号を複数のデジタル信号に変換し、デジタル信号を処理する。ベースバンド処理モジュール１０３は、ベースバンド信号処理を行う複数のハードウェア装置も含むことができる。ベースバンド信号処理は、調整、変調／復調、符号化／復号などをするアナログデジタル変換器（ＡＤＣ）／デジタルアナログ変換器（ＤＡＣ）を含むことができる。ＳＩＭカード１０１は、複数のユーザー情報を記憶することができ、制御器１０２は、差し込まれたＳＩＭカード１０１からデータを読み出してデータを差し込まれたＳＩＭカード１０１に書き込むことができる。
【００１３】
本発明の実施例に基づくと、ＳＩＭカード１０１は、一種の無線通信システムに関連することができる。例えば、ＳＩＭカード１０１は、ユニバーサルモバイルテレコミュニケーションシステム（ＵＭＴＳ）の汎用加入者識別モジュール（ＵＳＩＭ）カード、またはＣＤＭＡ２０００方式の取り外し可能ユーザー識別モジュール（ＲＵＩＭ）カードまたはＣＤＭＡ ＳＩＭカードなどであることができる。ＵＳＩＭカードは、ユーザーのアカウント情報、国際移動加入者識別番号（ＩＭＳＩ）、認証情報と、ＵＳＩＭ アプリケーションツールキット（ＵＳＡＴ）のセットを保存し、テキストメッセージと電話帳の保存空間を提供する。制御器１０２は、ＵＳＩＭカードのＭＣＵと情報のやりとりを行って差し込まれたＵＳＩＭカードからデータまたはＳＡＴコマンドを取り出すことができる。
【００１４】
ＧＳＭ、ＵＭＴＳ、汎用パケット無線システム（ＧＰＲＳ）、ＣＤＭＡ２０００またはＴＤ−ＳＣＤＭＡ通信システム、移動局（ＭＳ）またはユーザー装置（ＵＥ）としても知られる通信装置などの通信システムは、セルにキャンプオンした後、アイドルモードの間欠受信（ＤＲＸ）を用いて消費電力を減少することができる。ＤＲＸが用いられた時、ベースステーションまたはノードＢ（例えば図２の２０１）は、ページングインジケータメッセージをページングオケージョン（ｐａｇｉｎｇ ｏｃｃａｓｉｏｎｓ）で各特定のユーザーに周期的に伝送するため、通信装置１００は、ページングオケージョンの対応する無線フレームでページングインジケータチャネル（ＰＩＣＨ）バーストで伝えられたページングインジケータメッセージを受信することが必要となる。ＰＩＣＨは通信装置１００が次のページングチャネル（ＰＣＨ）のチャネルを受信することが必要かどうかを通信装置１００に知らせるように用いられる一般的な、時分割方式インジケーションチャネル（ｔｉｍｅ−ｓｈａｒｅｄ ｉｎｄｉｃａｔｉｏｎ ｃｈａｎｎｅｌ）である。ＰＩＣＨは、常に送信をし、通信装置１００は、通信装置１００に設定されたＤＲＸ周期長に基づいて０.０８ｓ、０.１６ｓ、０.３２ｓ、０.６４ｓ、１.２８ｓ、２.５６ｓ、または５.１２ｓ毎にページングインジケータメッセージを受信する。ＤＲＸ周期に１回、各移動局は、そのページングオケージョンに対応するフレームでウェイクアップ（ｗａｋｅ ｕｐ）し、ＰＩＣＨに伝送される重要なページングインジケータをモニターする。例えば、Ｗ−ＣＤＭＡインターフェースでは、ページングインジケータメッセージは、ページングインジケータチャネル（ＰＩＣＨ）バーストで伝えられ、ＰＩＣＨの無線フレーム長は、１０ミリ秒であり、１５スロットまたは１５０シンボルがＰＩＣＨの無線フレームにある。ページングオケージョンは、通信装置がウェイクアップしてページングインジケータメッセージを受信する時間を定義する。ページングオケージョンの無線フレームの位置（システムフレーム番号）を得る前に、通信装置１００は、まずいくつかのパラメータを収集し、報知チャネル（ＢＣＣＨ）バーストで伝えられたシステム情報から間欠受信（ＤＲＸ）動作を定義することができる。例えば、Ｗ−ＣＤＭＡシステムのページングインジケータパラメータＮｐとＤＲＸサイクル長係数ｋ（ページング周期パラメータ）である。ページングインジケータパラメータＮｐは、１つのページングインジケータメッセージに伝えられたページングインジケータの量を定義する。Ｗ−ＣＤＭＡのＮｐのための可能な設定は、１４４、７２、３６、または１８であることができる。より小さいＮｐは、１つのページングインジケータメッセージで専用ユーザーのためのページングインジケータに用いられることができる、より多くのシンボルがあることを意味する。例えば、Ｎｐ＝１８の時、各ページングインジケータに８シンボルあり、Ｎｐ＝１４４の時、各ページングインジケータに１シンボルしかない。また、Ｗ−ＣＤＭＡのＤＲＸサイクル長は、
ＭＡＸ（２ｋ、ＰＢＰ）フレーム                Ｅｑ．１，
ｋは整数であり、ＰＢＰはページングブロック周期（ｐａｇｉｎｇ ｂｌｏｃｋ ｐｅｒｉｏｄｉｃｉｔｙ）である。
【００１５】
図３は、模範的なＰＩＣＨバーストを示している。図３に示されるように、ＰＩＣＨバーストは、Ｎｐページングインジケータを伝え、１つの無線フレームでＰ０、Ｐ１、…、ＰＮｐ−１によってラベル貼付け（ｌａｂｅｌｅｄ）される。斜線のブロックは、伝送されるページングインジケータがない時の周期を表しており、周期長は一般的に６シンボルと同じである。図４は、時間軸に沿ったページングオケージョンの模範的な実施例を表している。図４に示されるように、ＤＲＸサイクルの間、通信装置１００は、ページングオケージョン３０１〜３０３の無線フレームでのみウェイクアップしてページングインジケータメッセージを受信し、残りのＤＲＸサイクルで省力化のためにスリーピングモードに入る。ページングインジケータメッセージのＮｐページングインジケータの中で、通信装置１００に関連した１つのページングインジケータＰｑがあり、ｑの数は、ＳＩＭカード１０１のＩＭＳＩ、ページングインジケータパラメータＮｐと、システムフレーム番号（ＳＦＮ）に基づいて計算されることができる。システムフレーム番号は、無線ネットワークと同期した時間的に変化する整数であり、制御器１０２によって保持されて現在処理しているフレーム番号を表す。システムフレーム番号は、１と既定値の間にバインド（ｂｏｕｎｄｅｄ）されたフリーランカウンタから得られることができ、カウンタは、整数が既定値に達した時、リセットされる。よって、各ページングオケージョンでは、ページングインジケータＰｑの位置は、時間とともに変化することができる。ページングオケージョン３０１の無線フレームのＳＦＮがｘの時、通信装置１００のページングインジケータの位置は、図４に示されるようにＰ３であることができる。ページングオケージョン３０２の無線フレームのＳＦＮが（ｘ＋２５６）の時（２５６＝ＤＲＸサイクル長）、通信装置１００のページングインジケータの位置は、Ｐ０に変わる。ページングインジケータメッセージを受信した後、通信装置１００は、関連するページングインジケータＰｑをチェックすることによって再度スリープに入るかどうかを決める。ページングインジケータが通信装置１００が呼び出されていることを示した場合、通信装置１００は、次のページングメッセージ、例えばＷ−ＣＤＭＡシステムのページングチャネル（ＰＣＨ）で伝えられたページングメッセージなどを受信するプロセスを始める。でなければ、通信装置１００は、再度スリープに入り、次のページングオケージョンでウェイクアップすることを決める。
【００１６】
上述のように、通信装置１００は、ハードウェアデバイスとソフトウェアの一部を非アクティブにすることで待機モードに入った時、スリープに入り、電力消費を下げることができる。例えば、ベースバンド処理モジュール１０３と無線送受信モジュール１０４は、待機モードに入った時、非アクティブにされ、不連続受信を用いて節電することができる。本発明の実施例に基づくと、無線フレームの期間より短いウェイクアップ期間中に、ベースバンド処理モジュール１０３と無線送受信モジュール１０４をアクティブにするように、制御器１０２が予めＳＩＭカード１０１の対応するページングインジケータの位置ｑを得て、消費電力を更に減少することができる。図５は、本発明の実施例に基づいた通信装置の受信処理のスケジューリング方法の流れ図を示している。例えば、図４に示されるページングオケージョン３０１〜３０２のような、ページングオケージョンの周期的無線フレームの対応するシステムフレーム番号を得た後、制御器１０２は、各周期的無線フレーム内のＳＩＭカードのための対応するページングインジケータの位置（例えば、上述のようにページングインジケータＰｑの番号ｑ）を得る（ステップＳ５１）。次に、制御器１０２は、対応するページングインジケータの位置に基づいて各周期的無線フレーム内に分配された、対応するウェイクアップ間隔を同時に得る（ステップＳ５２）。最後に、制御器１０２は、対応するウェイクアップ間隔中に、無線送受信モジュール１０４とベースバンド処理モジュール１０３をアクティブにするように、対応するウェイクアップ間隔に基づいて起動信号を生成する（ステップＳ５３）。
【００１７】
図６は、本発明の実施例に基づいたページングオケージョンの各周期の無線フレーム内の対応するページングインジケータの位置に対応する、模範的な起動信号Ｓ０とウェイクアップ間隔を示している。本実施例において、アクティブハイ（ａｃｔｉｖｅ−ｈｉｇｈ）の起動信号Ｓ０は、ウェイクアップ間隔ＷＰ０１とＷＰ０２に対応してページングオケージョン３０１と３０２でそれぞれ高く引き上げられる。注意するのは、起動信号Ｓ０は、アクティブロー（ａｃｔｉｖｅ−ｌｏｗ）信号であることもでき、本発明はこれに限定されるものではない。制御器１０２は、無線送受信モジュール１０４とベースバンド処理モジュール１０３のウェイクアップ間隔の長さが各周期的無線フレームの長さより短くなるように制御する。無線送受信モジュール１０４は、起動信号Ｓ０に基づいて、各周期的無線フレームの対応するウェイクアップ間隔中にアクティブにされ、ページングインジケータメッセージの一部のページングインジケータを含むノードＢの信号を受信する。ベースバンド処理モジュール１０３は、起動信号Ｓ０に基づいて、各周期的無線フレームの対応するウェイクアップ間隔中にアクティブにされ、無線送受信モジュール１０４からのページングインジケータを含むベースバンドのノードＢの信号を受信し、受信したベースバンドのノードＢの信号に基づいてチャネル推定結果を得て、チャネル推定結果に基づいてＳＩＭカード１０１の対応するページングインジケータの位置ｑで受信したノードＢの信号を処理し、ページングインジケーションの結果を得て、ページングインジケーションの結果に基づいて、他の起動信号を生成し、無線送受信モジュールをアクティブにしてノードＢから次のページングメッセージを受信するかどうかを制御器１０２に知らせる。
【００１８】
他のいくつかの実施例において、ベースバンド処理モジュール１０３と無線送受信モジュール１０４のウェイクアップ間隔は異なる。例えば、無線送受信モジュール１０４がまずアイドルモードに切り換り、ベースバンド処理モジュール１０３をしばらく作動させてから、ベースバンド処理を完成した後、ベースバンド処理モジュール１０３がアイドルモードに戻ることができる。図７は、本発明のもう１つの実施例に基づいた通信装置の受信処理のスケジューリング方法の流れ図を示している。例えば、図４に示されるページングオケージョン３０１〜３０２のような、ページングオケージョンの周期的無線フレームの対応するシステムフレーム番号を得た後、制御器１０２は、各周期的無線フレーム内のＳＩＭカードのための対応するページングインジケータの位置（例えば、上述のようにページングインジケータＰｑの番号ｑ）を得る（ステップＳ７１）。次に、制御器１０２は、対応するページングインジケータの位置に基づいて各周期的無線フレーム内に分配された、第１ウェイクアップ間隔を同時に得る（ステップＳ７２）。次に、制御器１０２は、第１ウェイクアップ間隔に基づいて各周期的無線フレーム内に分配された、第２ウェイクアップ間隔を同時に得る（ステップＳ７３）。最後に、制御器１０２は、第１ウェイクアップ間隔に基づいて第１起動信号を生成し、第２ウェイクアップ間隔に基づいて第２起動信号を生成して、第１ウェイクアップ間隔中に、無線送受信モジュール１０４をアクティブにし、第２ウェイクアップ間隔中に、ベースバンド処理モジュール１０３をアクティブにする（ステップＳ７４）。
【００１９】
図８は、本発明の実施例に基づいたページングオケージョンの各周期の無線フレーム内の対応するページングインジケータの位置に対応する、模範的な起動信号Ｓ１とＳ２と対応するウェイクアップ間隔を示している。本実施例において、アクティブハイ（ａｃｔｉｖｅ−ｈｉｇｈ）の起動信号Ｓ１とＳ２は、ウェイクアップ間隔ＷＰ１１、ＷＰ１２と、ＷＰ２１と、ＷＰ２２に対応してページングオケージョン３０１と３０２でそれぞれ高く引き上げられる。注意するのは、起動信号Ｓ０は、アクティブロー（ａｃｔｉｖｅ−ｌｏｗ）信号であることもでき、本発明はこれに限定されるものではない。制御器１０２は、無線送受信モジュール１０４とベースバンド処理モジュール１０３のウェイクアップ間隔の長さが各周期的無線フレームの長さより短くなるように制御し、更に、無線送受信モジュール１０４のウェイクアップ間隔の長さがベースバンド処理モジュール１０３の長さより短くなるように制御する。本実施例において、制御器１０２は、例えば図８に示されるＳ１とＳ２の第１と第２起動信号によって、各周期的無線フレーム内の対応するページングインジケータの位置ｑの始めに、無線送受信モジュール１０４とベースバンド処理モジュール１０３をアクティブにする。注意するのは、第１と第２起動信号は、対応するページングインジケータの位置ｑのスロットまたはシンボルに一直線に合わせられて、対応するページングインジケータの位置ｑのスロットまたはシンボルの始めに、無線送受信モジュール１０４とベースバンド処理モジュール１０３をアクティブにすることができる。無線送受信モジュール１０４は、起動信号Ｓ１に基づいて、各周期的無線フレームの第１ウェイクアップ間隔中にアクティブにされ、ページングインジケータメッセージの一部のページングインジケータを含むノードＢから全信号を受信し、ページングインジケータをベースバンド処理モジュール１０３に含むノードＢをダウンコンバートした後、非アクティブにされる。ベースバンド処理モジュール１０３は、起動信号Ｓ２に基づいて、第２ウェイクアップ間隔中にアクティブにされ、無線送受信モジュール１０４からのページングインジケータを含むベースバンドのノードＢの信号を受信し、受信したベースバンドのノードＢの信号をメモリ素子１０５に保存して、保存したベースバンドのノードＢの信号に基づいてチャネル推定結果を得て、チャネル推定結果に基づいてＳＩＭカード１０１の対応するページングインジケータの位置ｑで受信したノードＢの信号を処理し、ページングインジケーションの結果を得て、ページングインジケーションの結果に基づいて、他の起動信号を生成し、無線送受信モジュール１０４をアクティブにしてノードＢから次のページングメッセージを受信するかどうかを制御器１０２に知らせる。
【００２０】
注意するのは、第１ウェイクアップ間隔は、無線送受信モジュール１０４がチャネル推定のための必要なデータを受信するのに十分な長さであることができ、第２ウェイクアップ間隔は、ベースバンド処理モジュール１０３がチャネル推定を行うのに十分な長さであることができ、ＳＩＭカード１０１のページングインジケータを復号する。また、無線送受信モジュール１０４をアクティブにした期間の後、ベースバンド処理モジュール１０３がアクティブにされることも可能である。
【００２１】
本発明のもう１つの実施例に基づくと、制御器１０２は、ＳＩＭカード１０１の対応するページングインジケータの位置ｑの分配に基づいて、無線送受信モジュール１０４とベースバンド処理モジュール１０３のウェイクアップ間隔をより柔軟に決めることができる。図９は、本発明のもう１つの実施例に基づいた通信装置の受信処理のスケジューリング方法の流れ図を示している。例えば、図４に示されるページングオケージョン３０１〜３０２のような、ページングオケージョンの周期的無線フレームの対応するシステムフレーム番号を得た後、制御器１０２は、各周期的無線フレーム内のＳＩＭカードのための対応するページングインジケータの位置（例えば、上述のようにページングインジケータＰｑの番号ｑ）を得る（ステップＳ９１）。次に、制御器１０２は、対応するページングインジケータの位置ｑが周期的無線フレームの既定の基準位置（ｔｈｒｅｓｈｏｌｄ ｐｏｓｉｔｉｏｎ）ｋの後に位置して分配されるかどうかを決める（ステップＳ９２）。ｑ＞ｋの時、制御器１０２は、対応するページングインジケータの位置に基づいて、第１ウェイクアップ間隔と第２ウェイクアップ間隔を得て（ステップＳ９３）、無線送受信モジュール１０４とベースバンド処理モジュール１０３を第１ウェイクアップ間隔と第２ウェイクアップ間隔のページングインジケータＰｑの始めより速い時間でそれぞれアクティブにする（Ｓ９４）。例えば、制御器は、図６に示されるように、ウェイクアップ間隔ＷＰ０１中に、起動信号Ｓ０を用いて無線送受信モジュール１０４とベースバンド処理モジュール１０３をアクティブにすることができる。または、ｑ＜＝ｋの時、制御器１０２は、対応するページングインジケータの位置に基づいて、第１ウェイクアップ間隔と第２ウェイクアップ間隔を得る（ステップＳ９５）。第１ウェイクアップ間隔の長さは、第２ウェイクアップ間隔の長さより小さい。最後に、制御器１０２は、第１ウェイクアップ間隔と第２ウェイクアップ間隔のページングインジケータＰｑの始めに、無線送受信モジュール１０４とベースバンド処理モジュール１０３をそれぞれアクティブにする（ステップＳ９６）。例えば、図８に示されるように、制御器は、ウェイクアップ間隔ＷＰ１１とＷＰ２１中に起動信号Ｓ１とＳ２を用いて、無線送受信モジュール１０４とベースバンド処理モジュール１０３をそれぞれアクティブにすることができる。本発明の実施例に基づいて、既定の基準位置ｋは、ベースバンド処理モジュール１０３がページングインジケータＰｑを処理して復号するのに十分な長さの既定の間隔を有する、次のページングメッセージから離れた位置として選ばれることができる。本実施例において、ｑ＞ｋの時、ページングインジケータＰｑは、無線フレームの最後に届き、無線送受信モジュール１０４とベースバンド処理モジュール１０３がページングインジケータＰｑの始めにアクティブになった場合、これらのモジュールは、次のＰＣＨの到着前に、計算を完成することができない可能性がある。図９に示された本実施例の変形形態において、第１ウェイクアップ間隔と第２ウェイクアップ間隔は同じである。
【００２２】
図１０は、実施例を詳細に説明するための模範的なＰＩＣＨバースト９０１と模範的なＰＣＨバースト９０２を示している。本発明の実施例に基づくと、ＳＩＭカード１０１の対応するページングインジケータの位置ｑがページングインジケータＰｋの既定の基準位置ｋの後に分配された時、制御器１０２は、期間のページングインジケータＰｑの送信始めの時間より早い、無線送受信モジュール１０４とベースバンド処理モジュール１０３をアクティブにし、興味のあるページングインジケータより長いノードＢからの信号を受信し、予めチャネルインパルス応答を推定することができる。ベースバンド処理モジュール１０３は、リアルタイムで無線送受信モジュール１０４から得たダウンコンバートされたベースバンドのノードＢの信号を処理し、無線送受信モジュール１０４がそれらを受信するようにアクティブにされた時、チャネル推定結果を得ることができる。チャネル推定結果を得た後、ベースバンド処理モジュール１０３は、チャネル推定結果に基づいてページングインジケータＰｑを更に処理して復号することができる。無線送受信モジュール１０４とベースバンド処理モジュール１０３は、ページングインジケーションの結果を得た後、非アクティブにされることができる。ページングインジケーションの結果が可能な送信が来ることを示した場合、無線送受信モジュール１０４は、再度アクティブにされて次のＰＣＨ ９０２を受信することができる。或いは、ＳＩＭカード１０１の対応するページングインジケータの位置ｑがページングインジケータＰｋの既定の基準位置ｋの後に基準位置ｋの後に分配されない時、制御器１０２は、例えば、対応するページングインジケータの位置ｑのスロットまたはシンボルの始めのページングインジケータＰｑの送信始めに無線送受信モジュール１０４とベースバンド処理モジュール１０３をアクティブにすることができる。無線送受信モジュール１０４は、ページングインジケータＰｑをカバーするだけでなく、チャネル推定をするのに十分な長さのノードＢの信号を受信することができ、ページングインジケータＰｑをベースバンド処理モジュール１０３に含むダウンコンバートされたベースバンドのノードＢの信号を通過した後、非アクティブにされることができる。無線送受信モジュール１０４から得たページングインジケータＰｑを含むベースバンドのノードＢの信号を保存することができ、無線送受信モジュール１０４が非アクティブにされた後、それらを処理する。保存されたベースバンドのノードＢの信号に基づいて、チャネル推定結果を得た後、ベースバンド処理モジュール１０３は、チャネル推定結果に基づいてページングインジケータＰｑを更に処理して復号することができ、ページングインジケーションの結果を得て、ページングインジケーションの結果を得た後、非アクティブにされることができる。ページングインジケーションの結果が可能な送信が来ることを示した場合、無線送受信モジュール１０４は、再度アクティブにされて次のＰＣＨ ９０２を受信することができる。
【００２３】
以上、本発明の好適な実施例を例示したが、これは本発明を限定するものではなく、本発明の精神及び範囲を逸脱しない限りにおいては、当業者であれば行い得る少々の変更や修飾を付加することが可能である。従って、本発明が請求する保護範囲は、特許請求の範囲を基準とする。
【符号の説明】
【００２４】
１００  通信装置
１０１  ＳＩＭカード
１０２  制御器
１０３  ベースバンド処理モジュール
１０４  無線送受信モジュール
１０５  メモリ素子
３０１〜３０３  ページングオケージョン
ＷＰ０１、ＷＰ０２、ＷＰ０１、ＷＰ１１、ＷＰ１２、ＷＰ２１、ＷＰ２２  ウェイクアップ間隔
Ｐｑ、Ｐｋ  ページングインジケータ
Ｓ０、Ｓ１、Ｓ２  起動信号
９０１  ＰＩＣＨバースト
９０２  ＰＣＨバースト
【図１】
0005040945.tif 000002
【図２】
0005040945.tif 000003
【図３】
0005040945.tif 000004
【図４】
0005040945.tif 000005
【図５】
0005040945.tif 000006
【図６】
0005040945.tif 000007
【図７】
0005040945.tif 000008
【図８】
0005040945.tif 000009
【図９】
0005040945.tif 000010
【図１０】
0005040945.tif 000011